(57)【特許請求の範囲】
【請求項１】
音声信号を送信する音声送信装置と、音声信号を受信する音声受信装置とを備え、
前記音声送信装置が、
第１フォーマット音声信号を第２フォーマット音声信号に変換する第１変換手段と、
前記第１フォーマット音声信号、又は、前記第２フォーマット音声信号を前記音声受信装置に送信する送信手段と、
前記送信手段が前記第１フォーマット音声信号を前記音声受信装置に送信する第１送信状態、又は、前記第１変換手段が前記第１フォーマット音声信号を前記第２フォーマット音声信号に変換し、前記送信手段が変換された前記第２フォーマット音声信号を前記音声受信装置に送信する第２送信状態に設定する設定手段と、
前記音声受信装置が前記第１フォーマット音声信号を受信できるか否かを判断する判断手段と、
前記音声受信装置が前記第１フォーマット音声信号を受信できると判断された場合、前記音声受信装置に前記第１送信状態または前記第２送信状態のいずれに設定するかを問合せる第１コマンドを送信する問合せ送信手段とを有し、
前記音声受信装置が、
前記第１フォーマット音声信号、又は、前記第２フォーマット音声信号を前記音声送信装置から受信する受信手段と、
前記第１フォーマット音声信号を受信すると、前記第１フォーマット音声信号を前記第２フォーマット音声信号に変換する第２変換手段と、
前記第１フォーマット音声信号には音声処理を実行できず、前記第２フォーマット音声信号に音声処理を実行する音声処理手段と、
前記第１コマンドを受信した場合に、前記音声送信装置に前記第２送信状態に設定させる第２コマンドを送信する指示手段とを有し、
前記音声送信装置が、前記第２送信状態に設定させる第２コマンドを受信した場合に、前記設定手段を前記第２送信状態に設定させる設定制御手段をさらに有する、音声送受信システム。
【請求項２】
前記第１コマンドには前記第１変換手段によって変換される第２フォーマット音声信号の品質に関する情報が含まれており、
前記音声受信装置が、前記第２変換手段によって変換される第２フォーマット音声信号の品質が、前記第１変換手段によって変換される第２フォーマット音声信号の品質よりも優れるか否かを判断する品質判断手段をさらに有し、
前記指示手段が、前記第２変換手段によって変換される第２フォーマット音声信号の品質が、前記第１変換手段によって変換される第２フォーマット音声信号の品質よりも優れる場合に、前記音声送信装置に前記第１送信状態に設定させる第２コマンドを送信し、前記第２変換手段によって変換される第２フォーマット音声信号の品質が、前記第１変換手段によって変換される第２フォーマット音声信号の品質よりも優れない場合に、前記音声送信装置に前記第２送信状態に設定させる第２コマンドを送信し、
前記設定制御手段が、前記第１送信状態に設定させる第２コマンドを受信した場合に、前記設定手段を前記第１送信状態に設定させる、請求項１に記載の音声送受信システム。
【請求項３】
音声信号を送信する音声送信装置と、音声信号を受信する音声受信装置とを備え、
前記音声送信装置が、
第１フォーマット音声信号を第２フォーマット音声信号に変換する第１変換手段と、
前記音声送信装置に挿入される記録媒体から、前記第１フォーマット音声信号（第１チャンネル数）、または、前記第２フォーマット音声信号（第２チャンネル数）を再生する再生手段と、
前記第１フォーマット音声信号、又は、前記第２フォーマット音声信号を前記音声受信装置に送信する送信手段と、
前記送信手段が前記記録媒体から再生された前記第１フォーマット音声信号（第１チャンネル数）を前記音声受信装置に送信する第１送信状態、前記第１変換手段が前記記録媒体から再生された前記第１フォーマット音声信号（第１チャンネル数）を前記第２フォーマット音声信号（第１チャンネル数）に変換し、前記送信手段が変換された前記第２フォーマット音声信号（第１チャンネル数）を前記音声受信装置に送信する第２送信状態、又は、前記送信手段が前記記録媒体から再生された前記第２フォーマット音声信号（第２チャンネル数）を前記音声受信装置に送信する第３送信状態に設定する設定手段と、
前記音声受信装置が前記第１フォーマット音声信号を受信できるか否かを判断する判断手段と、
前記音声受信装置が前記第１フォーマット音声信号を受信できると判断された場合、前記音声受信装置に前記第１送信状態、前記第２送信状態、前記第３送信状態のいずれに設定するかを問合せる第１コマンドを送信する問合せ送信手段とを有し、
前記音声受信装置が、
前記第１フォーマット音声信号、又は、前記第２フォーマット音声信号を前記音声送信装置から受信する受信手段と、
前記第１フォーマット音声信号を受信すると、前記第１フォーマット音声信号を前記第２フォーマット音声信号に変換する第２変換手段と、
前記第１フォーマット音声信号には音声処理を実行できず、前記第２フォーマット音声信号に音声処理を実行する音声処理手段と、
前記第１コマンドを受信した場合に、前記音声受信装置が第２チャンネル数で音声信号を出力する必要があるか否かを判断する手段と、
第２チャンネル数で音声信号を出力する必要がない場合、前記音声送信装置に前記第２送信状態に設定させる第２コマンドを送信し、第２チャンネル数で音声信号を出力する必要がある場合、前記音声送信装置に前記第３送信状態に設定させる第２コマンドを送信する指示手段とを有し、
前記音声送信装置が、前記第２送信状態に設定させる第２コマンドを受信した場合に、前記設定手段を前記第２送信状態に設定させ、前記第３送信状態に設定させる第２コマンドを受信した場合に、前記設定手段を前記第３送信状態に設定させる設定制御手段をさらに有する、音声送受信システム。
【請求項４】
音声信号を送信する音声送信装置と、音声信号を受信する音声受信装置とを備え、
前記音声送信装置が、
第１フォーマット音声信号を第２フォーマット音声信号に変換する第１変換手段と、
前記第１フォーマット音声信号、又は、前記第２フォーマット音声信号を前記音声受信装置に送信する送信手段と、
前記送信手段が前記第１フォーマット音声信号を前記音声受信装置に送信する第１送信状態、又は、前記第１変換手段が前記第１フォーマット音声信号を前記第２フォーマット音声信号に変換し、前記送信手段が変換された前記第２フォーマット音声信号を前記音声受信装置に送信する第２送信状態に設定する設定手段と、
前記音声受信装置が前記第１フォーマット音声信号を受信できるか否かを判断する判断手段と、
前記音声受信装置が前記第１フォーマット音声信号を受信できると判断された場合、前記音声送信装置に前記第１送信状態または前記第２送信状態のいずれに設定するかを問合せる第１コマンドを送信する問合せ送信手段とを有し、
前記音声受信装置が、
前記第１フォーマット音声信号、又は、前記第２フォーマット音声信号を前記音声送信装置から受信する受信手段と、
前記第１フォーマット音声信号を受信すると、前記第１音声フォーマット音声信号を前記第２フォーマット音声信号に変換することなくそのまま音声処理を実行することができる音声処理手段と、
前記第１コマンドを受信した場合に、前記音声送信装置に前記第１送信状態に設定させる第２コマンドを送信する指示手段とを有し、
前記音声送信装置が、前記第１送信状態に設定させる第２コマンドを受信した場合に、前記設定手段を前記第１送信状態に設定させる設定制御手段をさらに有する、音声送受信システム。
【請求項５】
音声信号を送信する音声送信装置と、音声信号を受信する音声受信装置とを備え、
前記音声送信装置が、
第１フォーマット音声信号を第２フォーマット音声信号に変換する第１変換手段と、
前記音声送信装置に挿入される記録媒体から、前記第１フォーマット音声信号（第１チャンネル数）、または、前記第１フォーマット音声信号（第２チャンネル数）を再生する再生手段と、
前記第１フォーマット音声信号、又は、前記第２フォーマット音声信号を前記音声受信装置に送信する送信手段と、
前記送信手段が前記記録媒体から再生された前記第１フォーマット音声信号（第１チャンネル数）を前記音声受信装置に送信する第１送信状態、前記第１変換手段が前記記録媒体から再生された前記第１フォーマット音声信号（第１チャンネル数）を前記第２フォーマット音声信号（第１チャンネル数）に変換し、前記送信手段が変換された前記第２フォーマット音声信号（第１チャンネル数）を前記音声受信装置に送信する第２送信状態、又は、前記送信手段が前記記録媒体から再生された前記第１フォーマット音声信号（第２チャンネル数）を前記音声受信装置に送信する第３送信状態に設定する設定手段と、
前記音声受信装置が前記第１フォーマット音声信号を受信できるか否かを判断する判断手段と、
前記音声受信装置が前記第１フォーマット音声信号を受信できると判断された場合、前記音声送信装置に前記第１送信状態、第２送信状態、前記第３送信状態のいずれに設定するかを問合せる第１コマンドを送信する問合せ送信手段とを有し、
前記音声受信装置が、
前記第１フォーマット音声信号、又は、前記第２フォーマット音声信号を前記音声送信装置から受信する受信手段と、
前記第１フォーマット音声信号を受信すると、前記第１音声フォーマット音声信号を前記第２フォーマット音声信号に変換することなくそのまま音声処理を実行することができる音声処理手段と、
前記第１コマンドを受信した場合に、前記音声受信装置からヘッドフォンに音声信号を出力するか否かを出力するか否かを判断する手段と、
ヘッドフォンに音声信号を出力する場合に、前記音声送信装置に前記第３送信状態に設定させる第２コマンドを送信し、ヘッドフォンに音声信号を出力しない場合に、前記音声送信装置に前記第１送信状態に設定させる第２コマンドを送信する指示手段とを有し、
前記音声送信装置が、前記第１送信状態に設定させる第２コマンドを受信した場合に、前記設定手段を前記第１送信状態に設定させ、前記第３送信状態に設定させる第２コマンドを受信した場合に、前記設定手段を前記第３送信状態に設定させる設定制御手段をさらに有する、音声送受信システム。
【請求項６】
音声信号を送信する音声送信装置と、音声信号を受信する音声受信装置とを備え、
前記音声送信装置が、
第１フォーマット音声信号を第２フォーマット音声信号に変換する第１変換手段と、
前記音声送信装置に挿入される記録媒体から、前記第１フォーマット音声信号（第１チャンネル数）、または、前記第２フォーマット音声信号（第２チャンネル数）を再生する再生手段と、
前記第１フォーマット音声信号、又は、前記第２フォーマット音声信号を前記音声受信装置に送信する送信手段と、
前記送信手段が前記記録媒体から再生された前記第１フォーマット音声信号（第１チャンネル数）を前記音声受信装置に送信する第１送信状態、前記第１変換手段が前記記録媒体から再生された前記第１フォーマット音声信号（第１チャンネル数）を前記第２フォーマット音声信号（第１チャンネル数）に変換し、前記送信手段が変換された前記第２フォーマット音声信号（第１チャンネル数）を前記音声受信装置に送信する第２送信状態、又は、前記送信手段が前記記録媒体から再生された前記第２フォーマット音声信号（第２チャンネル数）を前記音声受信装置に送信する第３送信状態に設定する設定手段と、
前記音声受信装置が前記第１フォーマット音声信号を受信できるか否かを判断する判断手段と、
前記音声受信装置が前記第１フォーマット音声信号を受信できると判断された場合、前記音声送信装置に前記第１送信状態、第２送信状態、前記第３送信状態のいずれに設定するかを問合せる第１コマンドを送信する問合せ送信手段とを有し、
前記音声受信装置が、
前記第１フォーマット音声信号、又は、前記第２フォーマット音声信号を前記音声送信装置から受信する受信手段と、
前記第１フォーマット音声信号を受信すると、前記第１音声フォーマット音声信号を前記第２フォーマット音声信号に変換することなくそのまま音声処理を実行することができる音声処理手段と、
前記第１コマンドを受信した場合に、前記音声受信装置から第２フォーマット音声信号（第２チャンネル数）のみを受信可能な第２音声受信装置に音声信号を出力するか否かを判断する手段と、
前記第２音声受信装置に音声信号を出力する場合に、前記音声送信装置に前記第３送信状態に設定させる第２コマンドを送信し、前記第２音声受信装置に音声信号を出力しない場合に、前記音声送信装置に前記第１送信状態に設定させる第２コマンドを送信する指示手段とを有し、
前記音声送信装置が、前記第１送信状態に設定させる第２コマンドを受信した場合に、前記設定手段を前記第１送信状態に設定させ、前記第３送信状態に設定させる第２コマンドを受信した場合に、前記設定手段を前記第３送信状態に設定させる設定制御手段をさらに有する、音声送受信システム。
【請求項７】
請求項１〜６のいずれかに記載の音声送受信システムに適用される前記音声送信装置。
【請求項８】
請求項１〜６のいずれかに記載の音声送受信システムに適用される前記音声受信装置。
【発明の詳細な説明】
【技術分野】
【０００１】
本発明は、音声送受信システム、音声送信装置、及び、音声受信装置に関する。
【背景技術】
【０００２】
ＤＶＤプレーヤと、ＡＶアンプと、ディスプレイ装置とを備えるコンテンツ送受信システムが利用されている。ＤＶＤを再生する場合、ＤＶＤプレーヤは、ＤＶＤから映像データ及び音声信号を読み出して、ＨＤＭＩデータに変換し、ＡＶアンプに送信する。ＡＶアンプは、音声信号に音声処理を実行し、スピーカーから音声を出力する。ＡＶアンプは、映像データをＨＤＭＩデータに変換し、ディスプレイ装置に送信する。ディスプレイ装置は、ＡＶアンプから供給された映像データに映像処理を実行し、表示装置に表示する。また、ＳＡＣＤを再生する場合、ＤＶＤプレーヤは、ＳＡＣＤから音声信号を読み出して、ＨＤＭＩデータに変換し、ＡＶアンプに送信する。ＡＶアンプは、音声信号に音声処理を実行し、スピーカーから音声を出力する。
【０００３】
ここで、ＳＡＣＤにはＤＳＤ（Direct
Stream Digital）フォーマットの音声信号が記録されており、ＤＶＤプレーヤはＤＳＤ音声信号をＨＤＭＩデータに変換し、ＡＶアンプに送信する。ＡＶアンプには、（１）ＤＳＤ音声信号を受信して、再生できるもの、（２）ＤＳＤ音声信号を受信できないもの、（３）ＤＳＤ音声信号を受信できるが、ＤＳＤ音声信号をＰＣＭ音声信号に変換することによってのみ再生できるものが存在する。
【０００４】
詳細には、（３）のＡＶアンプは、ＤＡＣがＤＳＤ音声信号に対応しておらず、ＰＣＭ音声信号にしか対応していないので、ＤＳＤ−ＰＣＭ変換部においてＤＳＤ音声信号をＰＣＭ音声信号に変換する必要がある。又は、ＤＳＰの入力がＤＳＤに対応しておらず、ＤＳＤ音声信号に対してリスニングモードに応じた音声処理を実行することができないので、ＤＳＤ−ＰＣＭ変換部においてＤＳＤ音声信号をＰＣＭ音声信号に変換する必要がある。
【０００５】
（２）のＡＶアンプにＤＳＤ音声信号を送信すると、ＡＶアンプはＤＳＤ音声信号を受信することができず、スピーカーから音声を出力することができない。この場合には、ユーザ操作によって、ＤＶＤプレーヤのＨＤＭＩオーディオ出力設定を「ＤＳＤ６ｃｈ」から「ＰＣＭ６ｃｈ」に変更するとによって、ＤＶＤプレーヤは、ＤＳＤ音声信号を、ＰＣＭ音声信号に変換し、ＡＶアンプに送信する。従って、ＡＶアンプは、ＰＣＭ音声信号を再生し、スピーカーから音声を出力することができる。
【０００６】
（３）のＡＶアンプにＤＳＤ音声信号を送信すると、ＡＶアンプは、ＤＳＤ−ＰＣＭ変換部において、ＤＳＤ音声信号をＰＣＭ音声信号に変換し、ＰＣＭ音声信号を再生し、スピーカーから音声を出力する。しかし、一般的には、ＡＶアンプが有するＤＳＤ−ＰＣＭ変換部は、サンプリング周波数４４．１ｋＨｚのＰＣＭの音声信号に変換するので、ＤＶＤプレーヤにおいてＰＣＭ音声信号に変換（例えば、サンプリング周波数１７６．４ｋＨｚのＰＣＭ音声信号に変換）する場合と比較して、再生される音声の音質が劣化してしまう。そこで、ユーザ操作によって、ＤＶＤプレーヤのＨＤＭＩオーディオ出力設定を「ＤＳＤ６ｃｈ」から「ＰＣＭ６ｃｈ」に変更することによって、ＤＶＤプレーヤは、ＤＳＤ音声信号を、１７６．４ｋＨｚのＰＣＭ音声信号に変換し、ＡＶアンプに送信する。ＡＶアンプは、１７６．４ｋＨｚのＰＣＭ音声信号を再生するので、ＡＶアンプにおいてＤＳＤ音声信号をＰＣＭ音声信号に変換する場合に比べて、再生される音声の音質を向上させることができる。
【０００７】
以上のように、ＤＶＤプレーヤに接続されるＡＶアンプに応じて、ユーザ操作によってＨＤＭＩオーディオ出力設定をその都度変更する必要があり、その操作が非常に煩雑であり、かつ、分かり難いという問題がある。また、ＨＤＭＩオーディオ出力設定を間違うと、ＡＶアンプから音声を再生できないという問題がある。
【０００８】
下記特許文献１には、以下の内容を記載する。ＡＶアンプ４は、下流側の音声出力機器であるＴＶ３における音声の受信許容能力に合わせて上流側の音声出力機器であるＤＶＤプレーヤ２から受信したＤＶＤオーディオデータＤＡ１をフォーマット変換することにより、その結果得られる変換オーディオデータＴＤ１をＴＶ３へ伝送することができるので、当該ＴＶ３における音声の受信許容能力とは無関係に、ＤＶＤプレーヤ２からＴＶ３へ向けてオーディオ信号を伝送することができる。
【０００９】
ここで、例えば、ＤＶＤプレーヤがＡＶアンプのＥＤＩＤを取得し、ＥＤＩＤに記述されているＡＶアンプが受信可能な音声信号のフォーマット情報を読み出し、これに基づいて、ＨＤＭＩオーディオ出力設定を自動的に変更することが考えられる。しかし、ＡＶアンプのＥＤＩＤには、ＤＳＤ音声信号を受信可能であることは記述されているが、上記（１）のようにＡＶアンプがＤＳＤ音声信号をそのまま再生できるか、（３）のようにＡＶアンプがＤＳＤ音声信号をＰＣＭ音声信号に変換することによって再生することができるかまでは判断することができない。従って、ＡＶアンプから取得したＥＤＩＤのみからでは、ＨＤＭＩオーディオ出力設定を自動的に変更することができない。
【先行技術文献】
【特許文献】
【００１０】
【特許文献１】特開２００６−３１１２８８号公報
【発明の概要】
【発明が解決しようとする課題】
【００１１】
本発明は上記従来の課題を解決するためになされたものであり、その目的は、ユーザ操作を要することなく、接続される音声受信装置に応じて、音声送信装置のオーディオ出力設定を自動的に設定することができる音声送受信システムを提供することである。
【課題を解決するための手段】
【００１２】
本発明の好ましい実施形態による音声送受信システムは、音声信号を送信する音声送信装置と、音声信号を受信する音声受信装置とを備え、前記音声送信装置が、第１フォーマット音声信号を第２フォーマット音声信号に変換する第１変換手段と、前記第１フォーマット音声信号、又は、前記第２フォーマット音声信号を前記音声受信装置に送信する送信手段と、前記送信手段が前記第１フォーマット音声信号を前記音声受信装置に送信する第１送信状態、又は、前記第１変換手段が前記第１フォーマット音声信号を前記第２フォーマット音声信号に変換し、前記送信手段が変換された前記第２フォーマット音声信号を前記音声受信装置に送信する第２送信状態に設定する設定手段と、前記音声受信装置が前記第１フォーマット音声信号を受信できるか否かを判断する判断手段と、前記音声受信装置が前記第１フォーマット音声信号を受信できると判断された場合、前記音声受信装置に前記第１送信状態または前記第２送信状態のいずれに設定するかを問合せる第１コマンドを送信する問合せ送信手段とを有し、前記音声受信装置が、前記第１フォーマット音声信号、又は、前記第２フォーマット音声信号を前記音声送信装置から受信する受信手段と、前記第１フォーマット音声信号を受信すると、前記第１フォーマット音声信号を前記第２フォーマット音声信号に変換する第２変換手段と、前記第１フォーマット音声信号には音声処理を実行できず、前記第２フォーマット音声信号に音声処理を実行する音声処理手段と、前記第１コマンドを受信した場合に、前記音声送信装置に前記第２送信状態に設定させる第２コマンドを送信する指示手段とを有し、前記音声送信装置が、前記第２送信状態に設定させる第２コマンドを受信した場合に、前記設定手段を前記第２送信状態に設定させる設定制御手段をさらに有する。
【００１３】
音声送信装置は、音声受信装置が第１フォーマット音声信号を受信可能と判断すると、音声受信装置が第１フォーマット音声信号に音声処理を実行できるか否かまでは判断できないので、音声受信装置に第１コマンドを送信する。音声受信装置は、第１フォーマット音声信号に音声処理を実行できず、第１フォーマット音声信号を第２フォーマット音声信号に変換することにより音声処理を実行できる場合には、第２送信状態に設定する第２コマンドを音声送信装置に送信する。従って、音声送信装置は、ユーザ操作を要することなく、第２コマンドに応じて、第２送信状態に自動的に設定することができる。
【００１４】
好ましい実施形態においては、前記第１コマンドには前記第１変換手段によって変換される第２フォーマット音声信号の品質に関する情報が含まれており、前記音声受信装置が、前記第２変換手段によって変換される第２フォーマット音声信号の品質が、前記第１変換手段によって変換される第２フォーマット音声信号の品質よりも優れるか否かを判断する品質判断手段をさらに有し、前記指示手段が、前記第２変換手段によって変換される第２フォーマット音声信号の品質が、前記第１変換手段によって変換される第２フォーマット音声信号の品質よりも優れる場合に、前記音声送信装置に前記第１送信状態に設定させる第２コマンドを送信し、前記第２変換手段によって変換される第２フォーマット音声信号の品質が、前記第１変換手段によって変換される第２フォーマット音声信号の品質よりも優れない場合に、前記音声送信装置に前記第２送信状態に設定させる第２コマンドを送信し、前記設定制御手段が、前記第１送信状態に設定させる第２コマンドを受信した場合に、前記設定手段を前記第１送信状態に設定させる。
【００１５】
この場合、音声受信装置において、第１フォーマット音声信号から第２フォーマット音声信号に変換した方が品質（特に限定されないが、例えばサンプリング周波数）が優れる場合には、音声受信装置は、第１送信状態に設定する第２コマンドを音声送信装置に送信する。従って、音声送信装置は、ユーザ操作を要することなく、第２コマンドに応じて、再生される音声の品質が優れる第１送信状態に自動的に設定することができる。
【００１６】
本発明の別の好ましい実施形態による音声送受信システムは、音声信号を送信する音声送信装置と、音声信号を受信する音声受信装置とを備え、前記音声送信装置が、第１フォーマット音声信号を第２フォーマット音声信号に変換する第１変換手段と、前記音声送信装置に挿入される記録媒体から、前記第１フォーマット音声信号（第１チャンネル数）、または、前記第２フォーマット音声信号（第２チャンネル数）を再生する再生手段と、前記第１フォーマット音声信号、又は、前記第２フォーマット音声信号を前記音声受信装置に送信する送信手段と、前記送信手段が前記記録媒体から再生された前記第１フォーマット音声信号（第１チャンネル数）を前記音声受信装置に送信する第１送信状態、前記第１変換手段が前記記録媒体から再生された前記第１フォーマット音声信号（第１チャンネル数）を前記第２フォーマット音声信号（第１チャンネル数）に変換し、前記送信手段が変換された前記第２フォーマット音声信号（第１チャンネル数）を前記音声受信装置に送信する第２送信状態、又は、前記送信手段が前記記録媒体から再生された前記第２フォーマット音声信号（第２チャンネル数）を前記音声受信装置に送信する第３送信状態に設定する設定手段と、前記音声受信装置が前記第１フォーマット音声信号を受信できるか否かを判断する判断手段と、前記音声受信装置が前記第１フォーマット音声信号を受信できると判断された場合、前記音声受信装置に前記第１送信状態、前記第２送信状態、前記第３送信状態のいずれに設定するかを問合せる第１コマンドを送信する問合せ送信手段とを有し、前記音声受信装置が、前記第１フォーマット音声信号、又は、前記第２フォーマット音声信号を前記音声送信装置から受信する受信手段と、前記第１フォーマット音声信号を受信すると、前記第１フォーマット音声信号を前記第２フォーマット音声信号に変換する第２変換手段と、前記第１フォーマット音声信号には音声処理を実行できず、前記第２フォーマット音声信号に音声処理を実行する音声処理手段と、前記第１コマンドを受信した場合に、前記音声受信装置が第２チャンネル数で音声信号を出力する必要があるか否かを判断する手段と、第２チャンネル数で音声信号を出力する必要がない場合、前記音声送信装置に前記第２送信状態に設定させる第２コマンドを送信し、第２チャンネル数で音声信号を出力する必要がある場合、前記音声送信装置に前記第３送信状態に設定させる第２コマンドを送信する指示手段とを有し、前記音声送信装置が、前記第２送信状態に設定させる第２コマンドを受信した場合に、前記設定手段を前記第２送信状態に設定させ、前記第３送信状態に設定させる第２コマンドを受信した場合に、前記設定手段を前記第３送信状態に設定させる設定制御手段をさらに有する。
【００１７】
音声送信装置は、音声受信装置が第１フォーマット音声信号を受信可能と判断すると、音声受信装置が第１フォーマット音声信号に音声処理を実行できるか否かまでは判断できないので、音声受信装置に第１コマンドを送信する。音声受信装置は、第１フォーマット音声信号に音声処理を実行できず、第１フォーマット音声信号を第２フォーマット音声信号に変換することにより音声処理を実行できる場合には、第２送信状態に設定する第２コマンドを音声送信装置に送信する。従って、音声送信装置は、ユーザ操作を要することなく、第２コマンドに応じて、第２送信状態に自動的に設定することができる。また、音声受信装置は、第２チャンネル数（特に限定されないが例えば２ｃｈ）で音声信号を出力する必要がある場合には、第３送信状態に設定する第２コマンドを音声送信装置に送信する。従って、音声送信装置は、ユーザ操作を要することなく、第２コマンドに応じて、第３送信状態に自動的に設定することができる。
【００１８】
本発明の別の好ましい実施形態による音声送受信システムは、音声信号を送信する音声送信装置と、音声信号を受信する音声受信装置とを備え、前記音声送信装置が、第１フォーマット音声信号を第２フォーマット音声信号に変換する第１変換手段と、前記第１フォーマット音声信号、又は、前記第２フォーマット音声信号を前記音声受信装置に送信する送信手段と、前記送信手段が前記第１フォーマット音声信号を前記音声受信装置に送信する第１送信状態、又は、前記第１変換手段が前記第１フォーマット音声信号を前記第２フォーマット音声信号に変換し、前記送信手段が変換された前記第２フォーマット音声信号を前記音声受信装置に送信する第２送信状態に設定する設定手段と、前記音声受信装置が前記第１フォーマット音声信号を受信できるか否かを判断する判断手段と、前記音声受信装置が前記第１フォーマット音声信号を受信できると判断された場合、前記音声送信装置に前記第１送信状態または前記第２送信状態のいずれに設定するかを問合せる第１コマンドを送信する問合せ送信手段とを有し、前記音声受信装置が、前記第１フォーマット音声信号、又は、前記第２フォーマット音声信号を前記音声送信装置から受信する受信手段と、前記第１フォーマット音声信号を受信すると、前記第１音声フォーマット音声信号を前記第２フォーマット音声信号に変換することなくそのまま音声処理を実行することができる音声処理手段と、前記第１コマンドを受信した場合に、前記音声送信装置に前記第１送信状態に設定させる第２コマンドを送信する指示手段とを有し、前記音声送信装置が、前記第１送信状態に設定させる第２コマンドを受信した場合に、前記設定手段を前記第１送信状態に設定させる設定制御手段をさらに有する。
【００１９】
音声送信装置は、音声受信装置が第１フォーマット音声信号を受信可能と判断すると、音声受信装置が第１フォーマット音声信号に音声処理を実行できるか否かまでは判断できないので、音声受信装置に第１コマンドを送信する。音声受信装置は、第１フォーマット音声信号に音声処理を実行できる場合には、第１送信状態に設定する第２コマンドを音声送信装置に送信する。従って、音声送信装置は、ユーザ操作を要することなく、第２コマンドに応じて、第１送信状態に自動的に設定することができる。
【００２０】
本発明の別の好ましい実施形態による音声送受信システムは、音声信号を送信する音声送信装置と、音声信号を受信する音声受信装置とを備え、前記音声送信装置が、第１フォーマット音声信号を第２フォーマット音声信号に変換する第１変換手段と、前記音声送信装置に挿入される記録媒体から、前記第１フォーマット音声信号（第１チャンネル数）、または、前記第１フォーマット音声信号（第２チャンネル数）を再生する再生手段と、前記第１フォーマット音声信号、又は、前記第２フォーマット音声信号を前記音声受信装置に送信する送信手段と、前記送信手段が前記記録媒体から再生された前記第１フォーマット音声信号（第１チャンネル数）を前記音声受信装置に送信する第１送信状態、前記第１変換手段が前記記録媒体から再生された前記第１フォーマット音声信号（第１チャンネル数）を前記第２フォーマット音声信号（第１チャンネル数）に変換し、前記送信手段が変換された前記第２フォーマット音声信号（第１チャンネル数）を前記音声受信装置に送信する第２送信状態、又は、前記送信手段が前記記録媒体から再生された前記第１フォーマット音声信号（第２チャンネル数）を前記音声受信装置に送信する第３送信状態に設定する設定手段と、前記音声受信装置が前記第１フォーマット音声信号を受信できるか否かを判断する判断手段と、前記音声受信装置が前記第１フォーマット音声信号を受信できると判断された場合、前記音声送信装置に前記第１送信状態、第２送信状態、前記第３送信状態のいずれに設定するかを問合せる第１コマンドを送信する問合せ送信手段とを有し、前記音声受信装置が、前記第１フォーマット音声信号、又は、前記第２フォーマット音声信号を前記音声送信装置から受信する受信手段と、前記第１フォーマット音声信号を受信すると、前記第１音声フォーマット音声信号を前記第２フォーマット音声信号に変換することなくそのまま音声処理を実行することができる音声処理手段と、前記第１コマンドを受信した場合に、前記音声受信装置からヘッドフォンに音声信号を出力するか否かを出力するか否かを判断する手段と、ヘッドフォンに音声信号を出力する場合に、前記音声送信装置に前記第３送信状態に設定させる第２コマンドを送信し、ヘッドフォンに音声信号を出力しない場合に、前記音声送信装置に前記第１送信状態に設定させる第２コマンドを送信する指示手段とを有し、前記音声送信装置が、前記第１送信状態に設定させる第２コマンドを受信した場合に、前記設定手段を前記第１送信状態に設定させ、前記第３送信状態に設定させる第２コマンドを受信した場合に、前記設定手段を前記第３送信状態に設定させる設定制御手段をさらに有する。
【００２１】
音声送信装置は、音声受信装置が第１フォーマット音声信号を受信可能と判断すると、音声処理装置が第１フォーマット音声信号に音声処理を実行できるか否かまでは判断できないので、音声受信装置に第１コマンドを送信する。音声受信装置は、第１フォーマット音声信号に音声処理を実行できる場合には、第１送信状態に設定する第２コマンドを音声送信装置に送信する。従って、音声送信装置は、ユーザ操作を要することなく、第２コマンドに応じて、第１送信状態に自動的に設定することができる。また、音声受信装置は、第２チャンネルでヘッドフォンに音声信号を出力する必要がある場合には、第３送信状態に設定する第２コマンドを音声送信装置に送信する。従って、音声送信装置は、ユーザ操作を要することなく、第２コマンドに応じて、第３送信状態に自動的に設定することができる。
【００２２】
本発明の別の好ましい実施形態による音声送受信システムは、音声信号を送信する音声送信装置と、音声信号を受信する音声受信装置とを備え、前記音声送信装置が、第１フォーマット音声信号を第２フォーマット音声信号に変換する第１変換手段と、前記音声送信装置に挿入される記録媒体から、前記第１フォーマット音声信号（第１チャンネル数）、または、前記第２フォーマット音声信号（第２チャンネル数）を再生する再生手段と、前記第１フォーマット音声信号、又は、前記第２フォーマット音声信号を前記音声受信装置に送信する送信手段と、前記送信手段が前記記録媒体から再生された前記第１フォーマット音声信号（第１チャンネル数）を前記音声受信装置に送信する第１送信状態、前記第１変換手段が前記記録媒体から再生された前記第１フォーマット音声信号（第１チャンネル数）を前記第２フォーマット音声信号（第１チャンネル数）に変換し、前記送信手段が変換された前記第２フォーマット音声信号（第１チャンネル数）を前記音声受信装置に送信する第２送信状態、又は、前記送信手段が前記記録媒体から再生された前記第２フォーマット音声信号（第２チャンネル数）を前記音声受信装置に送信する第３送信状態に設定する設定手段と、前記音声受信装置が前記第１フォーマット音声信号を受信できるか否かを判断する判断手段と、前記音声受信装置が前記第１フォーマット音声信号を受信できると判断された場合、前記音声送信装置に前記第１送信状態、第２送信状態、前記第３送信状態のいずれに設定するかを問合せる第１コマンドを送信する問合せ送信手段とを有し、前記音声受信装置が、前記第１フォーマット音声信号、又は、前記第２フォーマット音声信号を前記音声送信装置から受信する受信手段と、前記第１フォーマット音声信号を受信すると、前記第１音声フォーマット音声信号を前記第２フォーマット音声信号に変換することなくそのまま音声処理を実行することができる音声処理手段と、前記第１コマンドを受信した場合に、前記音声受信装置から第２フォーマット音声信号（第２チャンネル数）のみを受信可能な第２音声受信装置に音声信号を出力するか否かを判断する手段と、前記第２音声受信装置に音声信号を出力する場合に、前記音声送信装置に前記第３送信状態に設定させる第２コマンドを送信し、前記第２音声受信装置に音声信号を出力しない場合に、前記音声送信装置に前記第１送信状態に設定させる第２コマンドを送信する指示手段とを有し、前記音声送信装置が、前記第１送信状態に設定させる第２コマンドを受信した場合に、前記設定手段を前記第１送信状態に設定させ、前記第３送信状態に設定させる第２コマンドを受信した場合に、前記設定手段を前記第３送信状態に設定させる設定制御手段をさらに有する。
【００２３】
音声送信装置は、音声受信装置が第１フォーマット音声信号を受信可能と判断すると、音声処理装置が第１フォーマット音声信号に音声処理を実行できるか否かまでは判断できないので、音声受信装置に第１コマンドを送信する。音声受信装置は、第１フォーマット音声信号に音声処理を実行できる場合には、第１送信状態に設定する第２コマンドを音声送信装置に送信する。従って、音声送信装置は、ユーザ操作を要することなく、第２コマンドに応じて、第１送信状態に自動的に設定することができる。また、音声受信装置は、第２チャンネルで第２音声受信装置に音声信号を出力する必要がある場合には、第３送信状態に設定する第２コマンドを音声送信装置に送信する。従って、音声送信装置は、ユーザ操作を要することなく、第２コマンドに応じて、第３送信状態に自動的に設定することができる。
【発明の効果】
【００２４】
煩雑なユーザ操作を要することなく、接続されるコンテンツ受信装置に応じて、コンテンツ送信装置のオーディオ出力設定を自動的に変更することができるコンテンツ送受信システムを提供することができる。
【図面の簡単な説明】
【００２５】
【図１】ＤＶＤプレーヤ１０およびＡＶアンプ２０の接続構成を示す図である。
【図２】ＤＶＤプレーヤ１０の処理を示すフローチャートである。
【図３】ＡＶアンプ２０の処理を示すフローチャートである。
【図４】ＡＶアンプ２０の処理を示すフローチャートである。
【図４Ｂ】ＡＶアンプ２０の処理を示すフローチャートである。
【図５】ＤＶＤプレーヤ１０の処理を示すフローチャートである。
【図６】ＡＶアンプ２０の処理を示すフローチャートである。
【図６Ｂ】ＡＶアンプ２０の処理を示すフローチャートである。
【図７】ＡＶアンプ２０の処理を示すフローチャートである。
【図７Ｂ】ＡＶアンプ２０の処理を示すフローチャートである。
【図８】ＡＶアンプ２０の処理を示すフローチャートである。
【図９】ＤＶＤプレーヤ１０の処理を示すフローチャートである。
【図１０】ＤＶＤプレーヤ１０の処理を示すフローチャートである。
【発明を実施するための形態】
【００２６】
以下、本発明の好ましい実施形態によるＤＶＤプレーヤ（音声送信装置）、ＡＶアンプ（音声受信装置）を備える音声送受信システムについて、図面を参照して具体的に説明するが、本発明はこれらの実施形態には限定されない。
【００２７】
［ＤＶＤプレーヤ１０の構成］
ＤＶＤプレーヤ１０は、再生部１１と、ＤＳＤ−ＰＣＭ変換部１２と、ＨＤＭＩ送信部１３と、制御部１４と、表示部１５と、操作部１６と、メモリ１７と、コネクタ部１８とを有している。
【００２８】
再生部１１は、ＳＡＣＤ（Super Audio
CD）が挿入された時、ＳＡＣＤに記録されている音声信号を読み出して、ＤＳＤ−ＰＣＭ変換部１２またはＨＤＭＩ送信部１３に供給する。ＳＡＣＤには、ＤＳＤ（Direct Stream Digital）６ｃｈの音声信号と、ＤＳＤ２ｃｈの音声信号と、ＣＤエリア（ＰＣＭ２ｃｈ）の音声信号とが記録されているもの、ＤＳＤ６ｃｈの音声信号と、ＤＳＤ２ｃｈの音声信号とが記録されているもの、ＤＳＤ６ｃｈの音声信号と、ＣＤエリア（ＰＣＭ２ｃｈ）の音声信号とが記録されているもの等が存在する。６ｃｈの音声信号は、例えば、前方左音声信号Ｌ、前方右音声信号Ｒ、中央音声信号Ｃ、サラウンド左音声信号ＳＬ、サラウンド右音声信号ＳＲ、および、サブウーファ音声信号ＳＷであり、５．１ｃｈの音声信号と呼ばれることがある。再生部１１は、これら音声信号のいずれかをＳＡＣＤから読み出して、ＤＳＤ−ＰＣＭ変換部１２またはＨＤＭＩ送信部１３に供給する。
【００２９】
ＤＳＤ−ＰＣＭ変換部１２は、再生部１１から供給されたＤＳＤ音声信号を、ＰＣＭ音声信号に変換し、ＨＤＭＩ送信部１３に供給する。例えば、ＤＳＤ−ＰＣＭ変換部１２は、ＤＳＤ６ｃｈの音声信号を、サンプリング周波数１７６．４ｋＨｚのＰＣＭ６ｃｈ音声信号に変換する。ＤＳＤ−ＰＣＭ変換部１２がＤＳＤ音声信号をＰＣＭ音声信号に変換する必要がない場合には、再生部１１からのＤＳＤ音声信号が、ＤＳＤ−ＰＣＭ変換部１２を介さずに直接ＨＤＭＩ送信部１３に供給される。
【００３０】
ＨＤＭＩ送信部１３は、ＤＳＤ−ＰＣＭ変換部１２または再生部１１から供給された音声信号を、制御部１４からのコマンドにより、ＨＤＭＩ規格のデータ（以下、ＨＤＭＩデータという。）に変換する。ＨＤＭＩ送信部１３は、ＨＤＭＩデータを、コネクタ部１８を介してＡＶアンプ２０に送信する。
【００３１】
制御部１４は、メモリ１７に格納されているＤＶＤプレーヤの動作プログラムに基づいて、ＤＶＤプレーヤ１０の各部を制御するものであり、例えば、マイコンやＣＰＵ等である。制御部１４は、操作部１６からの操作入力または各部からの制御信号およびデータに基づいて各種処理を実行する。
【００３２】
制御部１４は、ユーザ操作に応じて、又は、ＡＶアンプ２０の制御部２５からＣＥＣラインを介して送信されるコマンドに応じて、ＨＤＭＩオーディオ出力設定を実行する。ＨＤＭＩオーディオ出力設定は、ＨＤＭＩ送信部１３から送信するＨＤＭＩデータに含まれる音声信号のフォーマットを決定することである。ＨＤＭＩオーディオ出力設定は、例えば、ＤＳＤ６ｃｈと、ＰＣＭ６ｃｈとを含み、これらのうちのいずれかが選択される。
【００３３】
ＨＤＭＩオーディオ出力設定がＤＳＤ６ｃｈに設定されると、再生部１１はＳＡＣＤからＤＳＤ６ｃｈの音声信号を読み出して、ＨＤＭＩ送信部１３に供給する。ＨＤＭＩ送信部１３は、ＤＳＤ６ｃｈの音声信号を含むＨＤＭＩデータをＡＶアンプ２０に送信する。
【００３４】
ＨＤＭＩオーディオ出力設定がＰＣＭ６ｃｈに設定されると、再生部１１はＳＡＣＤからＤＳＤ６ｃｈの音声信号を読み出して、ＤＳＤ−ＰＣＭ変換部１２に供給する。ＤＳＤ−ＰＣＭ変換部１２は、ＤＳＤ６ｃｈの音声信号を、ＰＣＭ６ｃｈの音声信号に変換し、ＨＤＭＩ送信部１３に供給する。ＨＤＭＩ送信部１３は、ＰＣＭ６ｃｈの音声信号を含むＨＤＭＩデータをＡＶアンプ２０に送信する。
【００３５】
制御部１４は、ＨＤＭＩのＤＤＣラインを介して、ＡＶアンプ２０のメモリ２８に接続され、メモリ２８からＡＶアンプ２０のＥＤＩＤ（Extended display identification data）を取得する。ＥＤＩＤには、ＡＶアンプ２０が受信可能な音声信号のフォーマットが記述されている。制御部１４は、ＥＤＩＤに記述されているＡＶアンプ２０が受信可能な音声信号のフォーマットに基づいて、ＡＶアンプ２０がＤＳＤ音声信号を受信可能か否か判断する。ＡＶアンプ２０がＤＳＤ音声信号を受信可能でなければ、制御部１４は、ＨＤＭＩオーディオ出力設定をＰＣＭ６ｃｈに設定する。一方、ＡＶアンプ２０がＤＳＤ音声信号を受信可能である場合であっても、制御部１４は、ＡＶアンプ２０がＤＳＤ音声信号をそのまま（すなわち、ＰＣＭ音声信号に変換することなく）再生（音声処理等）することができるか、又は、ＤＳＤ音声信号をそのまま再生することはできず、ＤＳＤ音声信号をＰＣＭ音声信号に変換することによって再生することができるかは、判別することができない。
【００３６】
そこで、制御部１４は、ＨＤＭＩのＣＥＣラインを介してＡＶアンプ２０の制御部２５に接続され、制御部２５とコマンドおよび／またはデータを送受信する。ＡＶアンプ２０がＤＳＤ音声信号を受信可能である場合に、制御部１４は、再生部１１がこれからＤＳＤ音声信号を読み出すと判断すると、ＨＤＭＩオーディオ出力設定の問合せのコマンドを、ＣＥＣラインを介してＡＶアンプ２０の制御部２５に送信する。ＨＤＭＩオーディオ出力設定の問合せのコマンドは、ＨＤＭＩオーディオ出力設定をＤＳＤ６ｃｈに設定するか、又は、ＰＣＭ６ｃｈに設定するかをＡＶアンプ２０に決定させるための問合せである。また、必要に応じて、ＨＤＭＩオーディオ出力設定の問合せには、ＨＤＭＩオーディオ出力設定をＰＣＭ６ｃｈに設定した場合にＤＶＤプレーヤ１０から出力される（つまり、ＤＳＤ−ＰＣＭ変換部１２で変換される）ＰＣＭ音声信号のサンプリング周波数の情報を含む。
【００３７】
制御部１４は、ＡＶアンプ２０の制御部２５からＣＥＣラインを介して、ＨＤＭＩオーディオ出力設定の指示を受信すると、その指示に基づいて、オーディオ出力設定を実行する。例えば、制御部１４は、ＡＶアンプ２０の制御部２５から、ＨＤＭＩオーディオ出力設定をＤＳＤ６ｃｈに設定する指示を受信すると、ＨＤＭＩオーディオ出力設定をＤＳＤ６ｃｈに設定し、ＨＤＭＩオーディオ出力設定をＰＣＭ６ｃｈに設定する指示を受信すると、ＨＤＭＩオーディオ出力設定をＰＣＭ６ｃｈに設定する。
【００３８】
［ＡＶアンプの構成］
ＡＶアンプ２０は、ＨＤＭＩ受信部２１と、ＤＳＤ−ＰＣＭ変換部２２と、ＨＤＭＩ送信部２３と、音声処理部２４と、制御部２５と、操作部２６と、表示部２７と、メモリ２８と、コネクタ部２９と、コネクタ部３０と、ヘッドフォン出力端子３１とを有している。コネクタ部２９は、ＤＶＤプレーヤ１０のコネクタ部１８にＨＤＭＩケーブルを介して接続され、コネクタ部３０はディスプレイ装置のコネクタ部にＨＤＭＩケーブルを介して接続される。
【００３９】
ＨＤＭＩ受信部２１は、ＤＶＤプレーヤ１０から送信されたＨＤＭＩデータを受信し、受信したＨＤＭＩデータから元の音声信号（ＨＤＭＩ変換前の音声信号であり、ＤＳＤ音声信号またはＰＣＭ音声信号）を生成する。ＨＤＭＩ受信部２１は、ＤＳＤ音声信号をＰＣＭ音声信号に変換する必要がある場合に、ＤＳＤ音声信号をＤＳＤ−ＰＣＭ変換部２２に供給し、ＤＳＤ音声信号をＰＣＭ音声信号に変換する必要がない場合に、ＤＳＤ音声信号を音声処理部２４に直接供給する。また、ＨＤＭＩ受信部２１は、ＰＣＭ音声信号を音声処理部２４に供給する。また、ＨＤＭＩ受信部２１は、ＡＶアンプ２０に接続されたスピーカー６０で音声を再生するのではなく、ディスプレイ装置４０のスピーカーで音声を再生する場合には、ＰＣＭ音声信号をＨＤＭＩ送信部２３に供給する。
【００４０】
ＤＳＤ−ＰＣＭ変換部２２は、ＨＤＭＩ受信部２１から供給されたＤＳＤ音声信号を、ＰＣＭ音声信号に変換し、ＨＤＭＩ送信部２３に供給する。例えば、ＤＳＤ−ＰＣＭ変換部２２は、ＤＳＤ６ｃｈの音声信号を、サンプリング周波数４４．１ｋＨｚのＰＣＭ６ｃｈの音声信号に変換する。
【００４１】
ＨＤＭＩ送信部２３は、ＨＤＭＩ受信部２１から供給されたＰＣＭ音声信号をＨＤＭＩデータに変換する。ＨＤＭＩ送信部２３は、コネクタ部３０を介してディスプレイ装置４０にＨＤＭＩデータを送信する。
【００４２】
音声処理部２４は、ＨＤＭＩ受信部２１またはＤＳＤ−ＰＣＭ変換部２２から供給された音声信号に対して、例えば、信号処理、遅延処理、イコライザ処理、音量調整処理、増幅処理、および／または、ＤＡ変換等の音声処理を実行し、ヘッドフォン出力端子３１、又は、外部に接続されたスピーカー６０に音声信号を供給する。すなわち、音声処理部２４は、ＤＳＰ、ＤＡＣ、ボリューム、および／または、アンプ等を含む。
【００４３】
ＡＶアンプ２０は、機種によって、（１）ＤＳＤ音声信号を受信し、ＤＳＤ音声信号をそのまま（ＰＣＭ音声信号に変換せずに）再生できるもの、（２）ＤＳＤ音声信号を受信できないもの、（３）ＤＳＤ音声信号を受信できるが、ＤＳＤ音声信号をそのまま再生することができず、ＰＣＭ音声信号に変換することによって再生できるものが存在する。（３）のＡＶアンプの一例としては、ＤＡＣがＤＳＤ音声信号に対応しておらず、ＤＳＤ音声信号をＤＡ変換することができず、ＤＳＤ−ＰＣＭ変換部２２においてＤＳＤ音声信号をＰＣＭ音声信号に変換する必要がある、又は、ＤＳＰがＤＳＤ音声信号に対応しておらず、ＤＳＤ音声信号に対してリスニングモードに応じた信号処理を実行することができないので、ＤＳＤ−ＰＣＭ変換部２２においてＤＳＤ音声信号をＰＣＭ音声信号に変換する必要のある機器である。
【００４４】
メモリ２８は、ＡＶアンプ２０が受信可能な音声信号のフォーマットが記述されたＥＤＩＤを予め格納している。ＥＤＩＤは、ＤＶＤプレーヤ１０の制御部１４によってＤＤＣラインを介して読み出される。受信可能な音声信号のフォーマットの一例としては、例えば、ＤＳＤ（６ｃｈまで）、ＭＬＰＣＭ（１９２kＨｚ６ｃｈまで）、Ｓ／ＰＤＩＦ（１９２kＨｚ２ｃｈまで）、Ｄｏｌｂｙ  Ｄｉｇｉｔａｌ、ＤＴＳ等である。ここで、上記の通り、ＤＳＤ（６ｃｈまで）というのは、ＤＳＤ音声信号を受信することができることを示すが、ＤＳＤ音声信号をそのまま再生できるか、又は、ＤＳＤ音声信号をＰＣＭ音声信号に変換して再生するかを判別することができない。すなわち、上記（１）のＡＶアンプであるか、（３）のＡＶアンプであるかをＥＤＩＤから判別することができない。
【００４５】
制御部２５は、メモリ２８に記憶されているＡＶアンプの動作プログラムに基づいて、ＡＶアンプ２０の各部を制御するものであり、例えば、マイコンやＣＰＵ等である。制御部２５は、操作部２６からの操作入力または各部からの制御信号およびデータに基づいて各種処理を実行する。
【００４６】
制御部２５は、ＣＥＣラインを介してＤＶＤプレーヤ１０の制御部１４に接続され、制御部１４とコマンドおよびデータを送受信する。制御部２５は、ＣＥＣラインを介して、ＤＶＤプレーヤ１０の制御部１４から、ＨＤＭＩオーディオ出力設定の問合せコマンドを受信する。ＤＳＤ音声信号をそのまま再生できる（１）のＡＶアンプ２０の場合には、制御部２５は、ＨＤＭＩオーディオ出力設定をＤＳＤ６ｃｈに設定する指示を、ＣＥＣラインを介してＤＶＤプレーヤ１０の制御部１４に送信する。ＡＶアンプ２０がＤＳＤ音声信号を受信するためである。
【００４７】
一方、ＤＳＤ音声信号をＰＣＭ音声信号に変換して再生する（３）のＡＶアンプ２０の場合には、制御部２５は、ＨＤＭＩオーディオ出力設定をＰＣＭ６ｃｈに設定する指示を、ＣＥＣラインを介してＤＶＤプレーヤ１０の制御部１４に送信する。一般的に、ＤＶＤプレーヤ１０のＤＳＤ−ＰＣＭ変換部１２によって変換されるＰＣＭ音声信号のサンプリング周波数が、ＡＶアンプ２０のＤＳＤ−ＰＣＭ変換部２２によって変換されるＰＣＭ音声信号のサンプリング周波数よりも高いからである。
【００４８】
好ましくは、（３）のＡＶアンプ２０の場合には、制御部２５は、ＨＤＭＩオーディオ出力設定の問合せに含まれているＤＶＤプレーヤ１０が出力するＰＣＭ音声信号のサンプリング周波数（最大値である）と、ＡＶアンプ２０のＤＳＤ−ＰＣＭ変換部２２で変換するＰＣＭ音声信号のサンプリング周波数（最大値である）とを比較する。そして、ＡＶアンプ２０のＤＳＤ−ＰＣＭ変換部２２で変換するＰＣＭ音声信号のサンプリング周波数がＤＶＤプレーヤ１０が出力するＰＣＭ音声信号のサンプリング周波数より大である場合には、制御部２５は、ＨＤＭＩオーディオ出力設定をＤＳＤ６ｃｈに設定する指示を、ＣＥＣラインを介してＤＶＤプレーヤ１０の制御部１４に送信する。一方、ＡＶアンプ２０のＤＳＤ−ＰＣＭ変換部２２で変換するＰＣＭ音声信号のサンプリング周波数がＤＶＤプレーヤ１０が出力するＰＣＭ音声信号のサンプリング周波数以下である場合には、制御部２５は、ＨＤＭＩオーディオ出力設定をＰＣＭ６ｃｈに設定する指示を、ＣＥＣラインを介してＤＶＤプレーヤ１０の制御部１４に送信する。
【００４９】
［音声送受信システムの動作］
以上の構成を有する音声送受信システムについてその動作を説明する。図２および図５はＤＶＤプレーヤ１０の制御部１４の処理を示すフローチャートである。図３は上記（１）のＡＶアンプ２０の制御部２５の処理を示すフローチャートであり、図４は上記（２）のＡＶアンプ２０の制御部２５の処理を示すフローチャートである。
【００５０】
まず、図２に示すように、ＤＶＤプレーヤ１０の制御部１４は、ＡＶアンプ２０からＤＤＣラインを介してＥＤＩＤを取得する（Ｓ１）。制御部１４は、取得したＥＤＩＤからＡＶアンプ２０が受信可能な音声信号のフォーマット情報を読み出し、ＡＶアンプ２０がＤＳＤ音声信号を受信できるか否かを判断する（Ｓ２）。つまり、ＥＤＩＤにＤＳＤの記述があれば、ＡＶアンプ２０がＤＳＤ音声信号を受信可能であることを判断できる。
【００５１】
ＡＶアンプ２０がＤＳＤ音声信号を受信できないと判断されると（Ｓ２でＮＯ）、制御部１４は、ＨＤＭＩオーディオ出力設定をＰＣＭ６ｃｈに自動的に設定する（Ｓ５）。その結果、再生部１１は、ＳＡＣＤからＤＳＤ６ｃｈの音声信号を読み出して、ＤＳＤ−ＰＣＭ変換部１２に供給する。ＤＳＤ−ＰＣＭ変換部１２は、ＤＳＤ６ｃｈの音声信号をＰＣＭ６ｃｈの音声信号に変換し、ＨＤＭＩ送信部１３に供給する。ＨＤＭＩ送信部１３は、ＰＣＭ６ｃｈの音声信号をＨＤＭＩデータに変換し、ＡＶアンプ２０に送信する。従って、ＡＶアンプ２０は、ＰＣＭ６ｃｈの音声信号を受信して再生することができ、スピーカーから音声を出力することができる。
【００５２】
ＡＶアンプ２０がＤＳＤ音声信号を受信できると判断されると（Ｓ２でＹＥＳ）、制御部１４は、再生部１１にＳＡＣＤが挿入され、これから、再生部１１がＳＡＣＤからＤＳＤ６ｃｈの音声信号を読み出すか否かを判断する（Ｓ３）。すなわち、現在挿入されているディスクの種類（ＳＡＣＤ、ＤＶＤ、又は、ＣＤ）や、ＳＡＣＤに記録されデータのうち、どのデータを読み出すかの情報が再生部１１と制御部１４との間のコマンドの送受信によって特定できる。再生部１１がＤＳＤ音声信号を読み出すと判断されると（Ｓ３でＹＥＳ）、制御部１４は、ＨＤＭＩオーディオ出力設定の問合せコマンドを、ＣＥＣラインを介してＡＶアンプ２０の制御部２５に送信する（Ｓ４）。ＥＤＩＤだけからでは、ＤＶＤプレーヤ１０がＤＳＤ音声信号を出力すべきか、ＰＣＭ音声信号を出力すべきかを判別することができないので、ＡＶアンプ２０にどちらで出力するのが好ましいかを判別させるためである。ＨＤＭＩオーディオ出力設定の問合せコマンドは、ＤＶＤプレーヤ１０のＤＳＤ−ＰＣＭ変換部１２が変換するＰＣＭ音声信号のサンプリング周波数の最大値（例えば１７６．４ｋＨｚ）の情報を含む。
【００５３】
上記（１）のＡＶアンプ２０がＤＶＤプレーヤ１０に接続されている場合、図３に示すように、ＡＶアンプ２０の制御部２５は、ＨＤＭＩオーディオ出力設定の問合せコマンドを受信したか否かを判断しており（Ｓ１１）、受信すると（Ｓ１１でＹＥＳ）、ＨＤＭＩオーディオ出力設定をＤＳＤ６ｃｈに設定する指示を、ＣＥＣラインを介して、ＤＶＤプレーヤ１０の制御部１４に送信する（Ｓ１２）。
【００５４】
図５に示すように、ＤＶＤプレーヤ１０の制御部１４は、ＨＤＭＩオーディオ出力設定をＤＳＤ６ｃｈに設定する指示を、ＣＥＣラインを介してＡＶアンプ２０の制御部２５から受信したか否かを判断している（Ｓ３１）。受信した場合（Ｓ３１でＹＥＳ）、制御部２５は、ＨＤＭＩオーディオ出力をＤＳＤ６ｃｈに設定する（Ｓ３２）。その結果、再生部１１は、ＳＡＣＤからＤＳＤ６ｃｈの音声信号を読み出して、ＨＤＭＩ送信部１３に供給する。ＨＤＭＩ送信部１３は、ＤＳＤ６ｃｈの音声信号をＨＤＭＩデータに変換し、ＡＶアンプ２０に送信する。従って、ＡＶアンプ２０は、ＤＳＤ６ｃｈの音声信号を受信してそのまま再生することができ、スピーカーから音声を出力することができる。
【００５５】
上記（３）のＡＶアンプ２０がＤＶＤプレーヤ１０に接続されている場合、図４に示すように、ＡＶアンプ２０の制御部２５は、ＨＤＭＩオーディオ出力設定の問合せコマンドを受信したか否かを判断しており（Ｓ２１）、受信すると（Ｓ２１でＹＥＳ）、ＨＤＭＩオーディオ出力設定の問合せコマンドに含まれているＤＶＤプレーヤ１０が出力するＰＣＭ音声信号のサンプリング周波数の情報を読み出す。そして、制御部２５は、ＡＶアンプ２０のＤＳＤ−ＰＣＭ変換部２２において変換するＰＣＭ音声信号のサンプリング周波数が、ＤＶＤプレーヤ１０が出力するＰＣＭ音声信号のサンプリング周波数より大であるかを判断する（Ｓ２２）。
【００５６】
ＡＶアンプ２０のＤＳＤ−ＰＣＭ変換部２２において変換するＰＣＭ音声信号のサンプリング周波数が、ＤＶＤプレーヤ１０が出力するＰＣＭ音声信号のサンプリング周波数より大である場合（Ｓ２２でＹＥＳ）、制御部２５は、ＨＤＭＩオーディオ出力設定をＤＳＤ６ｃｈに設定する指示を、ＣＥＣラインを介して、ＤＶＤプレーヤ１０の制御部１４に送信する（Ｓ２３）。ＡＶアンプ２０でＰＣＭ音声信号に変換する方が、サンプリング周波数が高くなるので、ＡＶアンプ２０においてＤＳＤ音声信号をＰＣＭ音声信号に変換するためである。
【００５７】
図５に示すように、ＤＶＤプレーヤ１０の制御部１４は、ＨＤＭＩオーディオ出力設定をＤＳＤ６ｃｈに設定する指示を、ＣＥＣラインを介してＡＶアンプ２０の制御部２５から受信したか否かを判断している（Ｓ３１）。受信した場合（Ｓ３１でＹＥＳ）、制御部２５は、ＨＤＭＩオーディオ出力をＤＳＤ６ｃｈに設定する（Ｓ３２）。その結果、再生部１１は、ＳＡＣＤからＤＳＤ６ｃｈの音声信号を読み出して、ＨＤＭＩ送信部１３に供給する。ＨＤＭＩ送信部１３は、ＤＳＤ６ｃｈの音声信号をＨＤＭＩデータに変換し、ＡＶアンプ２０に送信する。従って、ＡＶアンプ２０は、ＤＳＤ６ｃｈの音声信号を受信して、ＰＣＭ音声信号に変換して再生し、スピーカー６０から音声を出力することができる。
【００５８】
一方、ＡＶアンプ２０のＤＳＤ−ＰＣＭ変換部２２において変換するＰＣＭ音声信号のサンプリング周波数が、ＤＶＤプレーヤ１０が出力するＰＣＭ音声信号のサンプリング周波数以下である場合（Ｓ２２でＮＯ）、制御部２５は、ＨＤＭＩオーディオ出力設定をＰＣＭ６ｃｈに設定する指示を、ＣＥＣラインを介して、ＤＶＤプレーヤ１０の制御部１４に送信する（Ｓ２４）。ＡＶアンプ２０でＰＣＭ音声信号に変換すると、サンプリング周波数が低くなるので、ＤＶＤプレーヤ１０においてＤＳＤ音声信号をＰＣＭ音声信号に変換させるためである。
【００５９】
図５に示すように、ＤＶＤプレーヤ１０の制御部１４は、ＨＤＭＩオーディオ出力設定をＰＣＭ６ｃｈに設定する指示を、ＣＥＣラインを介してＡＶアンプ２０の制御部２５から受信したか否かを判断している（Ｓ３３）。受信した場合（Ｓ３３でＹＥＳ）、制御部２５は、ＨＤＭＩオーディオ出力設定をＰＣＭ６ｃｈに設定する（Ｓ３４）。その結果、再生部１１は、ＳＡＣＤからＤＳＤ６ｃｈの音声信号を読み出して、ＤＳＤ−ＰＣＭ変換部１２に供給する。ＤＳＤ−ＰＣＭ変換部１２は、ＤＳＤ６ｃｈの音声信号をＰＣＭ６ｃｈの音声信号に変換し、ＨＤＭＩ送信部１３に供給する。ＨＤＭＩ送信部１３は、ＰＣＭ６ｃｈの音声信号をＨＤＭＩデータに変換し、ＡＶアンプ２０に送信する。従って、ＡＶアンプ２０は、ＰＣＭ６ｃｈの音声信号を受信して再生することができ、スピーカーから音声を出力することができる。
【００６０】
以上のように、ＤＶＤプレーヤ１０に接続されるＡＶアンプ２０に応じて、ＤＶＤプレーヤ１０のＨＤＭＩオーディオ出力設定を自動的に適切なものに設定することができる。なお、ＡＶアンプ２０において、ＡＶアンプ２０のＤＳＤ−ＰＣＭ変換部２２において変換するＰＣＭ音声信号のサンプリング周波数が、ＤＶＤプレーヤ１０が出力するＰＣＭ音声信号のサンプリング周波数より大であるかを判断する代わりに、ＤＶＤプレーヤ１０の制御部１４が、ＡＶアンプ２０のＤＳＤ−ＰＣＭ変換部２２において変換するＰＣＭ音声信号のサンプリング周波数の情報をＡＶアンプ２０から取得し、ＡＶアンプ２０のＤＳＤ−ＰＣＭ変換部２２において変換するＰＣＭ音声信号のサンプリング周波数が、ＤＶＤプレーヤ１０が出力するＰＣＭ音声信号のサンプリング周波数より大であるかを判断し、その判断結果に応じてＨＤＭＩオーディオ出力設定を自動的に設定してもよい。
【００６１】
なお、図４の処理に代えて、単に図４Ｂに示す処理が実行されてもよい。図４Ｂでは、ＡＶアンプ２０の制御部２５は、ＨＤＭＩオーディオ出力設定の問合せコマンドを受信すると（Ｓ２１でＹＥＳ）、必ず、ＨＤＭＩオーディオ出力設定をＰＣＭ６ｃｈに設定する指示を、ＤＶＤプレーヤ１０の制御部１４に送信する（Ｓ２４）。
【００６２】
次に本発明の別の実施形態を説明する。本例では、ＡＶアンプ２０に接続されたスピーカー６０から６ｃｈ音声信号を再生する代わりに、ヘッドフォン出力端子３１に接続されたヘッドフォンから２ｃｈ音声信号を再生する、又は、ディスプレイ装置４０のスピーカーから２ｃｈ音声信号を再生する等の理由で、ＡＶアンプ２０が２ｃｈ音声信号を出力する場合の処理である。ＨＤＭＩオーディオ出力設定は、例えば、ＤＳＤ６ｃｈと、ＰＣＭ６ｃｈに加えて、ＤＳＤ２ｃｈと、ＰＣＭ２ｃｈとを含み、これらのうちのいずれかが選択される。
【００６３】
ＨＤＭＩオーディオ出力設定がＤＳＤ２ｃｈに設定されると、再生部１１はＳＡＣＤからＤＳＤ２ｃｈの音声信号を読み出して、ＨＤＭＩ送信部１３に供給する。ＨＤＭＩ送信部１３は、ＤＳＤ２ｃｈの音声信号を含むＨＤＭＩデータをＡＶアンプ２０に送信する。
【００６４】
ＨＤＭＩオーディオ出力設定がＰＣＭ２ｃｈに設定されると、再生部１１はＳＡＣＤからＤＳＤ２ｃｈの音声信号またはＤＳＤ６ｃｈの音声信号を読み出して、ＤＳＤ−ＰＣＭ変換部１２に供給する。ＤＳＤ−ＰＣＭ変換部１２は、ＤＳＤ２ｃｈの音声信号またはＤＳＤ６ｃｈの音声信号を、ＰＣＭ２ｃｈの音声信号に変換し、ＨＤＭＩ送信部１３に供給する。ＨＤＭＩ送信部１３は、ＰＣＭ２ｃｈの音声信号を含むＨＤＭＩデータをＡＶアンプ２０に送信する。
【００６５】
また、制御部１４は、ＳＡＣＤのＣＤエリア（ＰＣＭ２ｃｈ）の音声信号を読み出すように設定することができる。この場合、再生部１１はＳＡＣＤからＣＤエリアの音声信号を読み出して、ＨＤＭＩ送信部１３に供給する。ＨＤＭＩ送信部１３は、ＣＤエリアの音声信号を含むＨＤＭＩデータをＡＶアンプ２０に送信する。
【００６６】
ＰＣＭ２ｃｈの音声信号しか受信できないディスプレイ装置のスピーカーで２ｃｈ音声信号を再生する場合は、ＤＳＤ音声信号をＰＣＭ２ｃｈの音声信号に変換するよりも、ＣＤエリアの音声信号を読み出して再生する方が音質上好ましい。すなわち、ディスプレイ装置４０は、ＤＳＤ音声信号を受信できず、４４．１ｋＨｚのＰＣＭ２ｃｈの音声信号しか受信できないが、ＳＡＣＤからＤＳＤ音声信号を読み出して、ＤＶＤプレーヤ１０又はＡＶアンプ２０でＤＳＤ音声信号をＰＣＭ２ｃｈの音声信号に変換すると、この変換時に音声信号にノイズを含んでしまうことがあるが、ＳＡＣＤからＣＤエリアの音声信号を読み出すことにより、変換処理を実行する必要がないので、ノイズを含むことを防止できるからである。同じことが、（３）のＤＳＤ音声信号をＰＣＭ音声信号に変換して再生するＡＶアンプ２０がヘッドフォンから２ｃｈ音声信号を再生する場合についても言える。
【００６７】
図６〜図８は、ＡＶアンプ２０の制御部２５の処理を示すフローチャートであり、図９、図１０は、ＤＶＤプレーヤ１０の制御部１４の処理を示すフローチャートである。なお、図２の処理は上記実施形態と同様であるので、説明を省略する。
【００６８】
まず、（１）のＡＶアンプ２０がＤＶＤプレーヤ１０に接続されている場合について制御する。図６に示すように、制御部２５は、ＨＤＭＩオーディオ出力設定の問合せコマンドを受信したか否かを判断している（Ｓ４１）。受信した場合（Ｓ４１でＹＥＳ）、Ｓ４３に進み、受信しない場合（Ｓ４１でＮＯ）、Ｓ４２に進む。Ｓ４２において、制御部２５は、ＡＶアンプ２０が出力する音声信号が２ｃｈと６ｃｈとの間での変更になるか否かを判断する（Ｓ４２）。つまり、ヘッドフォン出力端子３１にヘッドフォンが接続されたこと（２ｃｈ出力への変更）、又は、接続が解除されたこと（６ｃｈ出力への変更）が検出された場合、あるいは、ＡＶアンプ２０に接続されたスピーカー６０の代わりにディスプレイ装置４０のスピーカーで音声信号を再生するように設定された（２ｃｈ出力への変更）、又は、その設定が解除された（６ｃｈ出力への変更）場合に、Ｓ４２でＹＥＳと判断され、Ｓ４３へ進む。なお、ＡＶアンプ２０とディスプレイ装置４０との両方で、ディスプレイ装置４０のスピーカーで音声信号を再生するように設定が実行され、例えば、この設定が実行されると、ＡＶアンプ２０ではスピーカー６０から音声が再生されないようミュート処理等が実行される。
【００６９】
Ｓ４３において、制御部２５は、ＡＶアンプ２０が音声信号をヘッドフォン出力端子３１からヘッドフォンに２ｃｈで出力する必要があるか否かを判断する（Ｓ４３）。つまり、ヘットフォン出力端子３１にヘッドフォンが接続されているか否かが判断される。ヘッドフォンに２ｃｈで再生する必要があると判断された場合（Ｓ４３でＹＥＳ）、制御部２５は、ＨＤＭＩオーディオ出力設定をＤＳＤ２ｃｈに設定するように、ＣＥＣラインを介してＤＶＤプレーヤ１０の制御部１４に送信する（Ｓ４４）。
【００７０】
図９に示すように、ＤＶＤプレーヤ１０の制御部１４は、ＨＤＭＩオーディオ出力設定をＤＳＤ２ｃｈに設定する指示を、ＣＥＣラインを介してＡＶアンプ２０の制御部２５から受信したか否かを判断している（Ｓ７５）。受信した場合（Ｓ７５でＹＥＳ）、制御部２５は、ＨＤＭＩオーディオ出力をＤＳＤ２ｃｈに設定する（Ｓ７６）。その結果、再生部１１は、ＳＡＣＤからＤＳＤ２ｃｈの音声信号を読み出して、ＨＤＭＩ送信部１３に供給する。ＨＤＭＩ送信部１３は、ＤＳＤ２ｃｈの音声信号をＨＤＭＩデータに変換し、ＡＶアンプ２０に送信する。従って、ＡＶアンプ２０は、ＤＳＤ２ｃｈの音声信号を受信して再生することができ、ヘッドフォンから音声を出力することができる。
【００７１】
ヘッドフォンに２ｃｈで出力する必要がないと判断された場合（Ｓ４３でＮＯ）、制御部２５は、ユーザ操作によって、ディスプレイ装置４０のスピーカーから２ｃｈ音声信号を再生するように設定されているか否かを判断する（Ｓ４５）。ディスプレイ装置４０のスピーカーから２ｃｈの音声信号を再生するように設定されていない場合（Ｓ４５でＮＯ）、つまり、ＡＶアンプ２０に接続されているスピーカー６０から音声を再生するように設定されている場合、制御部２５は、ＨＤＭＩオーディオ出力設定をＤＳＤ６ｃｈに設定するように、ＣＥＣラインを介してＤＶＤプレーヤ１０の制御部１４に送信する（Ｓ４６）。
【００７２】
図９に示すように、ＤＶＤプレーヤ１０の制御部１４は、ＨＤＭＩオーディオ出力設定をＤＳＤ６ｃｈに設定する指示を、ＣＥＣラインを介してＡＶアンプ２０の制御部２５から受信したか否かを判断している（Ｓ７１）。受信した場合（Ｓ７１でＹＥＳ）、制御部２５は、ＨＤＭＩオーディオ出力設定をＤＳＤ６ｃｈに設定する（Ｓ７２）。
【００７３】
図６のＳ４５において、ディスプレイ装置４０のスピーカーから２ｃｈで再生するように設定されていると判断された場合（Ｓ４５でＹＥＳ）、制御部２５は、ＨＤＭＩオーディオ出力設定の問合せコマンドに含まれているＤＶＤプレーヤ１０が出力するＰＣＭ音声信号のサンプリング周波数の情報を読み出す。そして、制御部２５は、ＡＶアンプ２０のＤＳＤ−ＰＣＭ変換部２２に変換するＰＣＭ音声信号のサンプリング周波数が、ＤＶＤプレーヤ１０が出力するＰＣＭ音声信号のサンプリング周波数より大であるかを判断する（Ｓ４７）。
【００７４】
ＡＶアンプ２０のＤＳＤ−ＰＣＭ変換部２２において変換するＰＣＭ音声信号のサンプリング周波数が、ＤＶＤプレーヤ１０が出力するＰＣＭ音声信号のサンプリング周波数より大である場合（Ｓ４７でＹＥＳ）、制御部２５は、ＣＤエリアを再生するように設定する、又は、ＨＤＭＩオーディオ出力設定をＤＳＤ２ｃｈに設定する指示を、ＣＥＣラインを介して、ＤＶＤプレーヤ１０の制御部１４に送信する（Ｓ４８）。
【００７５】
図１０に示すように、ＤＶＤプレーヤ１０の制御部１４は、ＣＤエリアを再生するように設定する、又は、ＨＤＭＩオーディオ出力設定をＤＳＤ２ｃｈに設定する指示を、ＣＥＣラインを介してＡＶアンプ２０の制御部２５から受信したか否かを判断している（Ｓ８１）。受信した場合（Ｓ８１でＹＥＳ）、制御部２５は、ＳＡＣＤにＣＤエリアの音声信号が記録されているか否かを判断する（Ｓ８２）。ＣＤエリアが記録されているか否かの情報は再生部１１から制御部１４に供給される。ＳＡＣＤにＣＤエリアの音声信号が記録されている場合（Ｓ８２でＹＥＳ）、制御部１４は、ＣＤエリアの音声信号を再生するように設定する（Ｓ８４）。その結果、再生部１１は、ＳＡＣＤからＣＤエリアの音声信号を読み出して、ＨＤＭＩ送信部１３に供給する。ＨＤＭＩ送信部１３は、ＣＤエリアの音声信号をＨＤＭＩデータに変換し、ＡＶアンプ２０に送信する。従って、ＡＶアンプ２０は、ＣＤエリア（ＰＣＭ２ｃｈ）の音声信号を受信し、ディスプレイ装置４０に送信し、ディスプレイ装置４０のスピーカーから音声を再生できる。
【００７６】
一方、ＳＡＣＤにＣＤエリアの音声信号が記録されていない場合（Ｓ８２でＮＯ）、制御部１４は、ＨＤＭＩオーディオ出力設定をＤＳＤ２ｃｈに設定する（Ｓ８３）。その結果、再生部１１は、ＳＡＣＤからＤＳＤ２ｃｈの音声信号を読み出して、ＨＤＭＩ送信部１３に供給する。ＨＤＭＩ送信部１３は、ＤＳＤ２ｃｈの音声信号をＨＤＭＩデータに変換し、ＡＶアンプ２０に送信する。従って、ＡＶアンプ２０は、ＤＳＤ２ｃｈの音声信号を受信して、ＰＣＭ音声信号に変換し、ディスプレイ装置４０に送信し、ディスプレイ装置４０のスピーカーから音声を再生できる。
【００７７】
図６に示すように、ＡＶアンプ２０のＤＳＤ−ＰＣＭ変換部２２において変換するＰＣＭ音声信号のサンプリング周波数が、ＤＶＤプレーヤ１０が出力するＰＣＭ音声信号のサンプリング周波数以下である場合（Ｓ４７でＮＯ）、制御部２５は、ＣＤエリアを再生するように設定する、又は、ＨＤＭＩオーディオ出力設定をＰＣＭ２ｃｈに設定する指示を、ＣＥＣラインを介して、ＤＶＤプレーヤ１０の制御部１４に送信する（Ｓ４９）。
【００７８】
図１０に示すように、ＤＶＤプレーヤ１０の制御部１４は、ＣＤエリアを再生するように設定する、又は、ＨＤＭＩオーディオ出力設定をＰＣＭ２ｃｈに設定する指示を、ＣＥＣラインを介してＡＶアンプ２０の制御部２５から受信したか否かを判断している（Ｓ８５）。受信した場合（Ｓ８５でＹＥＳ）、制御部２５は、ＳＡＣＤにＣＤエリアの音声信号が記録されているか否かを判断する（Ｓ８６）。ＳＡＣＤにＣＤエリアの音声信号が記録されている場合（Ｓ８６でＹＥＳ）、制御部１４は、ＣＤエリアの音声信号を再生するように設定する（Ｓ８８）。その結果、再生部１１は、ＳＡＣＤからＣＤエリアの音声信号を読み出して、ＨＤＭＩ送信部１３に供給する。ＨＤＭＩ送信部１３は、ＣＤエリアの音声信号をＨＤＭＩデータに変換し、ＡＶアンプ２０に送信する。従って、ＡＶアンプ２０は、ＣＤエリア（ＰＣＭ２ｃｈ）の音声信号を受信し、ディスプレイ装置４０に送信し、ディスプレイ装置４０のスピーカーから音声を再生できる。
【００７９】
一方、ＳＡＣＤにＣＤエリアの音声信号が記録されていない場合（Ｓ８６でＮＯ）、制御部１４は、ＨＤＭＩオーディオ出力設定をＰＣＭ２ｃｈに設定する（Ｓ８７）。その結果、再生部１１は、ＳＡＣＤからＤＳＤ２ｃｈの音声信号を読み出して、ＤＳＤ−ＰＣＭ変換部１２に供給する。ＤＳＤ−ＰＣＭ変換部１２は、ＤＳＤ２ｃｈの音声信号をＰＣＭ２ｃｈの音声信号に変換し、ＨＤＭＩ送信部１３に供給する。ＨＤＭＩ送信部１３は、ＰＣＭ２ｃｈの音声信号をＨＤＭＩデータに変換し、ＡＶアンプ２０に送信する。従って、ＡＶアンプ２０は、ＰＣＭ２ｃｈの音声信号を受信して、ディスプレイ装置４０に送信し、ディスプレイ装置４０のスピーカーから音声を再生できる。
【００８０】
なお、図６の処理に代えて単に図６Ｂの処理を実行してもよい。図６Ｂでは、ＡＶアンプ２０の制御部２５は、Ｓ４５において、ディスプレイ装置４０に２ｃｈの音声信号を出力する必要があると判断すると（Ｓ４５でＹＥＳ）、必ず、ＣＤエリアを再生するように設定する指示をＤＶＤプレーヤ１０の制御部１４に送信する（Ｓ５０）。
【００８１】
次に、（３）のＡＶアンプ２０がＤＶＤプレーヤ１０に接続された場合について説明する。図７に示すように、制御部２５は、ＨＤＭＩオーディオ出力設定の問合せコマンドを受信したか否かを判断している（Ｓ５１）。受信した場合（Ｓ５１でＹＥＳ）、Ｓ５３に進み、受信しない場合（Ｓ５１でＮＯ）、Ｓ５２に進む。Ｓ５２において、制御部２５は、ＡＶアンプ２０が出力する音声信号が２ｃｈと６ｃｈとの間での変更になるか否かを判断する（Ｓ５２）。つまり、ヘッドフォン出力端子３１にヘッドフォンが接続されたこと（２ｃｈ出力への変更）、又は、接続が解除されたこと（６ｃｈ出力への変更）が検出された場合、あるいは、ＡＶアンプ２０に接続されたスピーカー６０の代わりにディスプレイ装置４０のスピーカーで音声信号を再生するように設定された（２ｃｈ出力への変更）、又は、その設定が解除された（６ｃｈ出力への変更）場合に、Ｓ５２でＹＥＳと判断され、Ｓ５３へ進む。
【００８２】
Ｓ５３において、制御部２５は、ＡＶアンプ２０が音声信号を２ｃｈで出力する必要があるか否かを判断する（Ｓ５３）。つまり、ヘットフォン出力端子３１にヘッドフォンが接続されている、又は、ディスプレイ装置４０のスピーカーから音声を再生するように設定されているか否かが判断される。２ｃｈで再生する必要がないと判断された場合（Ｓ５３でＮＯ）、制御部２５は、ＨＤＭＩオーディオ出力設定の問合せコマンドに含まれているＤＶＤプレーヤ１０が出力するＰＣＭ音声信号のサンプリング周波数の情報を読み出す。そして、制御部２５は、ＡＶアンプ２０のＤＳＤ−ＰＣＭ変換部２２に変換するＰＣＭ音声信号のサンプリング周波数が、ＤＶＤプレーヤ１０が出力するＰＣＭ音声信号のサンプリング周波数より大であるかを判断する（Ｓ５４）。
【００８３】
ＡＶアンプ２０のＤＳＤ−ＰＣＭ変換部２２に変換するＰＣＭ音声信号のサンプリング周波数が、ＤＶＤプレーヤ１０が出力するＰＣＭ音声信号のサンプリング周波数より大である場合（Ｓ５４でＹＥＳ）、制御部２５は、ＨＤＭＩオーディオ出力設定をＤＳＤ６ｃｈに設定する指示を、ＣＥＣラインを介して、ＤＶＤプレーヤ１０の制御部１４に送信する（Ｓ５５）。ＡＶアンプ２０でＰＣＭ音声信号に変換する方が、サンプリング周波数が高くなるので、ＡＶアンプ２０においてＤＳＤ音声信号をＰＣＭ音声信号に変換するためである。
【００８４】
図９に示すように、ＤＶＤプレーヤ１０の制御部１４は、ＨＤＭＩオーディオ出力をＤＳＤ６ｃｈに設定する指示を、ＣＥＣラインを介してＡＶアンプ２０の制御部２５から受信したか否かを判断している（Ｓ７１）。受信した場合（Ｓ７１でＹＥＳ）、制御部２５は、ＨＤＭＩオーディオ出力をＤＳＤ６ｃｈに設定する（Ｓ７２）。
【００８５】
一方、ＡＶアンプ２０のＤＳＤ−ＰＣＭ変換部２２に変換するＰＣＭ音声信号のサンプリング周波数が、ＤＶＤプレーヤ１０が出力するＰＣＭ音声信号のサンプリング周波数以下である場合（Ｓ５４でＮＯ）、制御部２５は、ＨＤＭＩオーディオ出力設定をＰＣＭ６ｃｈに設定する指示を、ＣＥＣラインを介して、ＤＶＤプレーヤ１０の制御部１４に送信する（Ｓ５６）。ＡＶアンプ２０でＰＣＭ音声信号に変換する方が、サンプリング周波数が低くなるので、ＤＶＤプレーヤ１０においてＤＳＤ音声信号をＰＣＭ音声信号に変換するためである。
【００８６】
図９に示すように、ＤＶＤプレーヤ１０の制御部１４は、ＨＤＭＩオーディオ出力をＰＣＭ６ｃｈに設定する指示を、ＣＥＣラインを介してＡＶアンプ２０の制御部２５から受信したか否かを判断している（Ｓ７３）。受信した場合（Ｓ７３でＹＥＳ）、制御部２５は、ＨＤＭＩオーディオ出力をＰＣＭ６ｃｈに設定する（Ｓ７４）。
【００８７】
図７のＳ５３において、２ｃｈで再生する必要があると判断された場合（Ｓ５３でＹＥＳ）、制御部２５は、ＨＤＭＩオーディオ出力設定の問合せコマンドに含まれているＤＶＤプレーヤ１０が出力するＰＣＭ音声信号のサンプリング周波数の情報を読み出す。そして、制御部２５は、ＡＶアンプ２０のＤＳＤ−ＰＣＭ変換部２２に変換するＰＣＭ音声信号のサンプリング周波数が、ＤＶＤプレーヤ１０が出力するＰＣＭ音声信号のサンプリング周波数より大であるかを判断する（Ｓ５７）。
【００８８】
ＡＶアンプ２０のＤＳＤ−ＰＣＭ変換部２２において変換するＰＣＭ音声信号のサンプリング周波数が、ＤＶＤプレーヤ１０が出力するＰＣＭ音声信号のサンプリング周波数より大である場合（Ｓ５７でＹＥＳ）、制御部２５は、ＣＤエリアを再生するように設定する、又は、ＨＤＭＩオーディオ出力設定をＤＳＤ２ｃｈに設定する指示を、ＣＥＣラインを介して、ＤＶＤプレーヤ１０の制御部１４に送信する（Ｓ５８）。
【００８９】
図１０に示すように、ＤＶＤプレーヤ１０の制御部１４は、ＣＤエリアを再生するように設定する、又は、ＨＤＭＩオーディオ出力設定をＤＳＤ２ｃｈに設定する指示を、ＣＥＣラインを介してＡＶアンプ２０の制御部２５から受信したか否かを判断している（Ｓ８１）。受信した場合（Ｓ８１でＹＥＳ）、制御部２５は、ＳＡＣＤにＣＤエリアの音声信号が記録されているか否かを判断する（Ｓ８２）。ＳＡＣＤにＣＤエリアの音声信号が記録されている場合（Ｓ８２でＹＥＳ）、制御部１４は、ＣＤエリアの音声信号を再生するように設定する（Ｓ８４）。その結果、再生部１１は、ＳＡＣＤからＣＤエリアの音声信号を読み出して、ＨＤＭＩ送信部１３に供給する。ＨＤＭＩ送信部１３は、ＣＤエリアの音声信号をＨＤＭＩデータに変換し、ＡＶアンプ２０に送信する。従って、ＡＶアンプ２０は、ＣＤエリア（ＰＣＭ２ｃｈ）の音声信号を受信し、ディスプレイ装置４０に送信し、ディスプレイ装置４０のスピーカーから音声を再生できる。
【００９０】
一方、ＳＡＣＤにＣＤエリアの音声信号が記録されていない場合（Ｓ８２でＮＯ）、制御部１４は、ＨＤＭＩオーディオ出力設定をＤＳＤ２ｃｈに設定する（Ｓ８３）。その結果、再生部１１は、ＳＡＣＤからＤＳＤ２ｃｈの音声信号を読み出して、ＨＤＭＩ送信部１３に供給する。ＨＤＭＩ送信部１３は、ＤＳＤ２ｃｈの音声信号をＨＤＭＩデータに変換し、ＡＶアンプ２０に送信する。従って、ＡＶアンプ２０は、ＤＳＤ２ｃｈの音声信号を受信して、ＰＣＭ音声信号に変換し、ディスプレイ装置４０に送信し、ディスプレイ装置４０のスピーカーから音声を再生できる。
【００９１】
図７に示すように、ＡＶアンプ２０のＤＳＤ−ＰＣＭ変換部２２において変換するＰＣＭ音声信号のサンプリング周波数が、ＤＶＤプレーヤ１０が出力するＰＣＭ音声信号のサンプリング周波数以下である場合（Ｓ５７でＮＯ）、制御部２５は、ＣＤエリアを再生するように設定する、又は、ＨＤＭＩオーディオ出力設定をＰＣＭ２ｃｈに設定する指示を、ＣＥＣラインを介して、ＤＶＤプレーヤ１０の制御部１４に送信する（Ｓ５９）。
【００９２】
図１０に示すように、ＤＶＤプレーヤ１０の制御部１４は、ＣＤエリアを再生するように設定する、又は、ＨＤＭＩオーディオ出力をＰＣＭ２ｃｈに設定する指示を、ＣＥＣラインを介してＡＶアンプ２０の制御部２５から受信したか否かを判断している（Ｓ８５）。受信した場合（Ｓ８５でＹＥＳ）、制御部２５は、ＳＡＣＤにＣＤエリアの音声信号が記録されているか否かを判断する（Ｓ８６）。ＳＡＣＤにＣＤエリアの音声信号が記録されている場合（Ｓ８６でＹＥＳ）、制御部１４は、ＣＤエリアの音声信号を再生するように設定する（Ｓ８８）。その結果、再生部１１は、ＳＡＣＤからＣＤエリアの音声信号を読み出して、ＨＤＭＩ送信部１３に供給する。ＨＤＭＩ送信部１３は、ＣＤエリアの音声信号をＨＤＭＩデータに変換し、ＡＶアンプ２０に送信する。従って、ＡＶアンプ２０は、ＣＤエリア（ＰＣＭ２ｃｈ）の音声信号を受信し、ディスプレイ装置４０に送信し、ディスプレイ装置４０のスピーカーから音声を再生できる。
【００９３】
一方、ＳＡＣＤにＣＤエリアの音声信号が記録されていない場合（Ｓ８６でＮＯ）、制御部１４は、ＨＤＭＩオーディオ出力設定をＰＣＭ２ｃｈに設定する（Ｓ８７）。その結果、再生部１１は、ＳＡＣＤからＤＳＤ２ｃｈの音声信号を読み出して、ＤＳＤ−ＰＣＭ変換部１２に供給する。ＤＳＤ−ＰＣＭ変換部１２は、ＤＳＤ２ｃｈの音声信号をＰＣＭ２ｃｈの音声信号に変換し、ＨＤＭＩ送信部１３に供給する。ＨＤＭＩ送信部１３は、ＰＣＭ２ｃｈの音声信号をＨＤＭＩデータに変換し、ＡＶアンプ２０に送信する。従って、ＡＶアンプ２０は、ＰＣＭ２ｃｈの音声信号を受信して、ディスプレイ装置４０に送信し、ディスプレイ装置４０のスピーカーから音声を再生できる。
【００９４】
なお、図７の処理の代わりに単に図７Ｂの処理が実行されてもよい。図７Ｂでは、ＡＶアンプ２０の制御部２５は、２ｃｈの音声信号を出力する必要があると判断すると（Ｓ５３でＹＥＳ）、ＣＤエリアを再生するように設定する指示をＤＶＤプレーヤ１０の制御部１４に送信する（Ｓ６０）。２ｃｈの音声信号を出力する必要がないと判断すると（Ｓ５３でＮＯ）、ＨＤＭＩオーディオ出力設定をＰＣＭ６ｃｈに設定する指示をＤＶＤプレーヤ１０の制御部１４に送信する（Ｓ５６）。
【００９５】
次に、（２）のＡＶアンプ２０がＤＶＤプレーヤ１０に接続されている場合について説明する。図８に示すように、制御部２５は、ＡＶアンプ２０が出力する音声信号が２ｃｈと６ｃｈとの間での変更になったか否かを判断する（Ｓ６１）。つまり、ヘッドフォン出力端子３１にヘッドフォンが接続されたこと（２ｃｈ出力への変更）、又は、接続が解除されたこと（６ｃｈ出力への変更）が検出された場合、あるいは、ＡＶアンプ２０に接続されたスピーカー６０の代わりにディスプレイ装置４０のスピーカーで音声信号を再生するように設定された（２ｃｈ出力への変更）、又は、その設定が解除された（６ｃｈ出力への変更）場合に、Ｓ６１でＹＥＳと判断され、Ｓ６２へ進む。
【００９６】
Ｓ６２において、制御部２５は、ＡＶアンプ２０が音声信号を２ｃｈで出力する必要があるか否かを判断する（Ｓ６２）。つまり、ヘットフォン出力端子３１にヘッドフォンが接続されている、又は、ディスプレイ装置４０のスピーカーから音声を再生するように設定されているか否かが判断される。
【００９７】
２ｃｈで出力する必要がある場合（Ｓ６２でＹＥＳ）、制御部２５は、ＣＤエリアを再生するように設定する、又は、ＨＤＭＩオーディオ出力設定をＰＣＭ２ｃｈに設定する指示を、ＣＥＣラインを介して、ＤＶＤプレーヤ１０の制御部１４に送信する（Ｓ６３）。
【００９８】
図１０に示すように、ＤＶＤプレーヤ１０の制御部１４は、ＣＤエリアを再生するように設定する、又は、ＨＤＭＩオーディオ出力をＰＣＭ２ｃｈに設定する指示を、ＣＥＣラインを介してＡＶアンプ２０の制御部２５から受信したか否かを判断している（Ｓ８５）。受信した場合（Ｓ８５でＹＥＳ）、制御部２５は、ＳＡＣＤにＣＤエリアの音声信号が記録されているか否かを判断する（Ｓ８６）。ＳＡＣＤにＣＤエリアの音声信号が記録されている場合（Ｓ８６でＹＥＳ）、制御部１４は、ＣＤエリアの音声信号を再生するように設定する（Ｓ８８）。その結果、再生部１１は、ＳＡＣＤからＣＤエリアの音声信号を読み出して、ＨＤＭＩ送信部１３に供給する。ＨＤＭＩ送信部１３は、ＣＤエリアの音声信号をＨＤＭＩデータに変換し、ＡＶアンプ２０に送信する。従って、ＡＶアンプ２０は、ＣＤエリア（ＰＣＭ２ｃｈ）の音声信号を受信し、ディスプレイ装置４０に送信し、ディスプレイ装置４０のスピーカーから音声を再生できる。
【００９９】
一方、ＳＡＣＤにＣＤエリアの音声信号が記録されていない場合（Ｓ８６でＮＯ）、制御部１４は、ＨＤＭＩオーディオ出力をＰＣＭ２ｃｈに設定する（Ｓ８７）。その結果、再生部１１は、ＳＡＣＤからＤＳＤ２ｃｈの音声信号を読み出して、ＤＳＤ−ＰＣＭ変換部１２に供給する。ＤＳＤ−ＰＣＭ変換部１２は、ＤＳＤ２ｃｈの音声信号をＰＣＭ２ｃｈの音声信号に変換し、ＨＤＭＩ送信部１３に供給する。ＨＤＭＩ送信部１３は、ＰＣＭ２ｃｈの音声信号をＨＤＭＩデータに変換し、ＡＶアンプ２０に送信する。従って、ＡＶアンプ２０は、ＰＣＭ２ｃｈの音声信号を受信して、ディスプレイ装置４０に送信し、ディスプレイ装置４０のスピーカーから音声を再生できる。
【０１００】
図８のＳ６２において、２ｃｈで出力する必要がない場合（Ｓ６２でＮＯ）、制御部２５は、ＨＤＭＩオーディオ出力設定をＰＣＭ６ｃｈに設定する指示を、ＣＥＣラインを介して、ＤＶＤプレーヤ１０の制御部１４に送信する（Ｓ６４）。図９に示すように、ＤＶＤプレーヤ１０の制御部１４は、ＨＤＭＩオーディオ出力設定をＰＣＭ６ｃｈに設定する指示を、ＣＥＣラインを介してＡＶアンプ２０の制御部２５から受信したか否かを判断している（Ｓ７３）。受信した場合（Ｓ７３でＹＥＳ）、制御部２５は、ＨＤＭＩオーディオ出力設定をＰＣＭ６ｃｈに設定する（Ｓ７４）。
【０１０１】
以上のように、本発明によると、ユーザ操作によってＨＤＭＩオーディオ出力設定を変更する必要なく、接続されるＡＶアンプに応じて、最適なＨＤＭＩオーディオ出力設定に自動的に設定することができる。従って、ユーザ操作によって誤ったＨＤＭＩオーディオ出力設定が実行されて、ＡＶアンプが音声を再生できないという問題が防止される。
【０１０２】
以上、本発明の好ましい実施形態を説明したが、本発明はこれらの実施形態には限定されない。ＨＤＭＩのＣＥＣラインの代わりに、他の通信ライン（例えば、ＩＥＥＥ１３９４、ＤＶＩ、ＬＡＮ、ＵＳＢ等）が使用されてもよい。ＤＶＤプレーヤの代わりに、ＨＤＤレコーダ、ＢＤプレーヤ等の他のソース機器が使用されてもよい。また、ＡＶアンプの代わりにディスプレイ装置（ＴＶ受像機）がＤＶＤプレーヤに直接続接続されてもよい。つまり、音声受信装置はＴＶ受像機でもあってもよい。また、ＤＶＤプレーヤ、ＡＶアンプの上記動作をコンピュータに実行させるためのプログラムおよびこれを記録した記録媒体という形態で提供されてもよい。
【産業上の利用可能性】
【０１０３】
本発明は、ＤＶＤプレーヤ、ＡＶアンプ等に好適に採用され得る。
【符号の説明】
【０１０４】
１０            ＤＶＤプレーヤ
１１            再生部
１２            ＤＳＤ−ＰＣＭ変換部
１３            ＨＤＭＩ送信部
１４            制御部
１５            表示部
１６            操作部
１７            メモリ
１８            コネクタ部
２０            ＡＶアンプ
２１            ＨＤＭＩ受信部
２２            ＤＳＤ−ＰＣＭ変換部
２３            ＨＤＭＩ受信部
２４            音声処理部
２５            制御部
２６            操作部
２７            表示部
２８            メモリ
２９            コネクタ部
３０            コネクタ部
３１            ヘッドフォン出力端子
４０            ディスプレイ装置
【図１】
0005625373.tif 000002
【図２】
0005625373.tif 000003
【図３】
0005625373.tif 000004
【図４】
0005625373.tif 000005
【図４Ｂ】
0005625373.tif 000006
【図５】
0005625373.tif 000007
【図６】
0005625373.tif 000008
【図６Ｂ】
0005625373.tif 000009
【図７】
0005625373.tif 000010
【図７Ｂ】
0005625373.tif 000011
【図８】
0005625373.tif 000012
【図９】
0005625373.tif 000013
【図１０】
0005625373.tif 000014